(57)【要約】【課題】入力映像信号がフォーマット違いである場合に、それをシステム接続された各ユーザが認識できるようにする。【解決手段】入力映像信号が非対応フォーマットの信号であった場合、表示部や外部機器に供給する映像信号を、適正に表示できない信号となるようにして出力する。つまり映像信号自体が同期乱れ等の手法により、表示すると乱れた映像となるものとする。これにより当該映像信号を用いるどの段階の機器であっても、表示の乱れという事象により、ユーザが視覚的に異常を認識できる。【選択図】図３
2010103804.tif 000002
【特許請求の範囲】
【請求項１】
入力映像信号について、対応フォーマットの映像信号であるか、非対応フォーマットの映像信号であるかを判別するフォーマット判別部と、
上記入力映像信号に対して、所定の処理を行って出力する映像信号処理部と、
上記フォーマット判別部により、入力映像信号が非対応フォーマットの映像信号であると判別された場合に、上記映像信号処理部に、入力映像信号に対する処理として、表示の際に映像の乱れを生じさせる処理を実行させる制御部と、
を備えた映像処理装置。
【請求項２】
上記映像の乱れを生じさせる処理とは、同期分離された入力映像信号に対して、不適正な同期信号を付加する処理である請求項１に記載の映像処理装置。
【請求項３】
外部機器へ映像信号を出力する外部出力部をさらに備え、
上記映像信号処理部で処理された映像信号は、上記外部出力部から出力される請求項２に記載の映像処理装置。
【請求項４】
表示部をさらに備え、
上記映像信号処理部で処理された映像信号は、上記表示部で表示出力される請求項２に記載の映像処理装置。
【請求項５】
上記映像の乱れを生じさせる処理とは、入力映像信号に係数乗算を行って映像信号自体を乱す処理である請求項１に記載の映像処理装置。
【請求項６】
上記映像の乱れを生じさせる処理とは、入力映像信号の転送過程において転送処理の基準信号を乱す処理である請求項１に記載の映像処理装置。
【請求項７】
入力映像信号を記録する記録部をさらに備え、
上記制御部は、上記フォーマット判別部により、入力映像信号が非対応フォーマットの映像信号であると判別された場合には、上記記録部に対して、入力映像信号に対する記録処理を実行させない請求項１に記載の映像処理装置。
【請求項８】
入力映像信号について、対応フォーマットの映像信号であるか、非対応フォーマットの映像信号であるかを判別するフォーマット判別ステップと、
上記フォーマット判別ステップにより、入力映像信号が非対応フォーマットの映像信号であると判別された場合に、上記入力映像信号に対する処理として、表示の際に映像の乱れを生じさせる処理を実行して出力する映像処理ステップと、
を備えた映像処理方法。
【発明の詳細な説明】
【技術分野】
【０００１】
本発明は、入力される映像信号に対して所要の処理を行う映像処理装置、及び映像処理方法に関するものである。
【背景技術】
【０００２】
【特許文献１】特開２００８−１０７７００号公報
【特許文献２】特開平９−１５４０７５号公報
【特許文献３】特開２００６−６０４４５号公報
【特許文献４】特開平４−１５７９８５号公報
【０００３】
ビデオカメラ機器、表示装置、ビデオレコーダ、ビデオプレーヤ、映像編集器等、映像信号に対して所要の処理を行う各種の機器、即ち映像処理装置としての範疇の機器が存在する。通常、映像処理装置では、対応可能な映像信号フォーマットが決められており、所定のフォーマットの映像信号の入力が前提とされて設計されている。
【０００４】
ところが外部入力として、外部機器から映像信号が入力される場合、ユーザの機器接続の状況その他により、必ずしも対応可能な信号フォーマットの映像信号が入力されるとは限らない。当然ながら、対応不能な映像信号が入力された場合、機器は適正な処理を行うことができない。
このため、従来では非対応フォーマットの映像信号が入力された場合に、それをユーザに通知することが行われていた。
例えば上記特許文献１では、非対応フォーマットの映像信号が入力された場合に、フォーマット違いによるズレを数値化して表すことが開示されている。
また上記特許文献２では、文字情報等に入力信号が不適合であることをメッセージ表示することが示されている。
【発明の開示】
【発明が解決しようとする課題】
【０００５】
しかしながら従来の文字や数値によるメッセージ表示等の通知では、的確にユーザに対してフォーマット違いという状況を提示し得ない場合が生じている。
例えば表示画面を備えた映像処理装置では、その装置を使用しているユーザ（モニタ）に対しては、メッセージ表示により、フォーマット違いを伝えることはできる。
【０００６】
ところが、映像処理装置としては、入力映像信号を処理して、さらに他の外部機器に出力する機能を備えているものも多い。そして伝送系では、エラーメッセージ等のキャラクタが多重されない系もある。
その場合、映像信号を送出した先の機器では、フォーマット違いが生じていることを示すメッセージ表示はなされないため、送出先の機器のユーザには、フォーマット違いが生じていることが伝えられない。
【０００７】
特に近年、映像信号フォーマットとしては、多様な規格が存在しており、非対応のフォーマットの映像信号であっても、同期信号がロックできてしまい、表示される映像自体は一見正常に見えるものもある。例えばフレーム周波数が同じ場合などである。
このような場合、出力先の機器では、表示映像自体が認識できるため、ユーザが、フォーマット違いであることに気づかないことも多い。機器によっては、そのまま不適切な処理が行われてしまうことがある。
【０００８】
そこで本発明は対応していないフォーマットの映像信号が入力された場合に、映像処理装置のユーザ、さらには映像処理装置から映像信号の供給を受ける外部機器のユーザ等に対して、的確にフォーマットエラー状態を伝えることができるようにする。
【課題を解決するための手段】
【０００９】
本発明の映像処理装置は、入力映像信号について、対応フォーマットの映像信号であるか、非対応フォーマットの映像信号であるかを判別するフォーマット判別部と、上記入力映像信号に対して、所定の処理を行って出力する映像信号処理部と、上記フォーマット判別部により、入力映像信号が非対応フォーマットの映像信号であると判別された場合に、上記映像信号処理部に、入力映像信号に対する処理として、表示の際に映像の乱れを生じさせる処理を実行させる制御部とを備える。
ここで上記映像の乱れを生じさせる処理とは、例えば同期分離された入力映像信号に対して、不適正な同期信号を付加する処理である。
また、外部機器へ映像信号を出力する外部出力部をさらに備え、上記映像信号処理部で処理された映像信号は、上記外部出力部から出力される。
また、表示部をさらに備え、上記映像信号処理部で処理された映像信号は、上記表示部で表示出力される。
また、上記映像の乱れを生じさせる処理とは、入力映像信号に係数乗算を行って映像信号自体を乱す処理である。
また、上記映像の乱れを生じさせる処理とは、入力映像信号の転送過程において転送処理の基準信号を乱す処理である。
また、入力映像信号を記録する記録部をさらに備え、上記制御部は、上記フォーマット判別部により、入力映像信号が非対応フォーマットの映像信号であると判別された場合には、上記記録部に対して、入力映像信号に対する記録処理を実行させないようにする。
【００１０】
本発明の映像処理方法は、入力映像信号について、対応フォーマットの映像信号であるか、非対応フォーマットの映像信号であるかを判別するフォーマット判別ステップと、上記フォーマット判別ステップにより、入力映像信号が非対応フォーマットの映像信号であると判別された場合に、上記入力映像信号に対する処理として、表示の際に映像の乱れを生じさせる処理を実行して出力する映像処理ステップとを備える。
【００１１】
このような本発明では、入力映像信号が、非対応フォーマットの信号であった場合、表示部や外部機器に供給する映像信号を、適正に表示できない信号となるようにして出力する。つまり映像信号自体が同期乱れ等の手法により、表示すると乱れた映像となるものとしているため、その後は、当該映像信号を用いるどの段階の機器であっても、表示の乱れという事象により、ユーザは視覚的に異常を認識できることになる。
【発明の効果】
【００１２】
本発明によれば、映像処理装置に非対応フォーマットの映像信号が入力された場合、その映像処理装置、又は当該映像処理装置から映像信号の供給を受けた機器では、必ず映像が乱れて表示される。従ってユーザは視覚的に即座に異常状態（フォーマット違い）を認識できるという効果があり、不適切な処理が続行されてしまうことを回避できる。
【発明を実施するための最良の形態】
【００１３】
以下、本発明の実施の形態を次の順序で説明する。
［１．映像処理装置の構成］
［２．映像信号入力時の処理］
［３．同期信号処理による映像乱し手法］
［４．映像信号処理による映像乱し手法］
【００１４】
［１．映像処理装置の構成］
図１に実施の形態の映像処理装置１の構成例を示す。この映像処理装置１は、例えばビデオカメラ機器、表示装置、ビデオレコーダ、ビデオプレーヤ、映像編集器、映像分配器等に内蔵されるものであっても良いし、単体の装置として構成されるものでもよい。
特にこの図１の例の場合、映像処理装置１は、入力された映像信号について、記録を行ったり、入力映像信号を他の回路部や外部機器に出力することのできる構成としている。
【００１５】
映像処理装置１は映像入力部２、同期分離回路３、ＣＰＵ（Central Processing Unit）４、ベースバンドＩＣ５、記録再生部６、映像出力部７（７−１，７−２・・・７−ｎ）を有する。
映像入力部２は、映像信号Ｖｉを入力する。入力映像信号Ｖｉは、接続された外部のビデオカメラ、ビデオプレーヤ、映像受信器等の各種の映像機器から供給されたり、当該映像処理装置１を内蔵する機器の他の部位から供給されるもの等である。
映像入力部２に入力された入力映像信号Ｖｉは同期分離回路３に供給され、同期信号ＳＹとビデオ信号ＶＳ（輝度信号／色差信号等）に分離される。
また同期分離回路３は、ＣＰＵ４に対してフォーマット判別のために同期信号を供給する。
【００１６】
同期信号ＳＹとビデオ信号ＶＳは、出力処理のためにベースバンドＩＣ５に供給される。
なお、映像処理装置１の機能として、ビデオ信号ＶＳに対して各種の処理（輝度信号処理や色信号処理等）が行われる場合もあるが、この図１では省略している。
ベースバンドＩＣ５は、シグナルジェネレータ１１と同期信号付加部１２を有する。シグナルジェネレータ１１は、出力系統毎に適切な同期信号を発生し、同期信号付加部１２に供給する。シグナルジェネレータ１１は入力映像信号Ｖｉから分離した同期信号ＳＹに同期するとともに、出力系統毎に適応させた同期信号を発生させることになる。
同期信号付加部１２は、出力系統毎に、ビデオ信号ＶＳに対して、シグナルジェネレータ１１から与えられた同期信号を付加し、映像出力部７−１，７−２・・・７−ｎに出力する。
【００１７】
映像出力部７−１，７−２・・・７−ｎは、それぞれ所定の出力系統として、映像信号の出力を行う。
映像出力部７−１，７−２・・・７−ｎのそれぞれは、例えば当該映像処理装置１を内蔵する機器の他の部位（モニタ表示部、ビューファインダ、映像処理回路、送信部など）に対する出力部であったり、接続された外部機器に映像出力を行うインターフェース部等として構成される。そして、それぞれ出力映像信号Ｖｏ１、Ｖｏ２・・・Ｖｏ（ｎ）を所定の部位又は外部機器に出力する。
図１には表示部８０を示しているが、この表示部８０は、当該映像処理装置１を内蔵する機器に搭載されているモニタ表示部であるとする。例えば映像出力部７−１は、表示部８０に対して出力映像信号Ｖｏ１を供給し、表示部８０において表示させるものとしている。
また、映像出力部７−ｎは、外部転送のためのインターフェース部として構成される場合、この映像出力部７−ｎからの出力映像信号Ｖｏ（ｎ）は、有線又は無線で接続された外部機器に対して送信出力され、その送信先の外部機器側で表示される。
【００１８】
ＣＰＵ４は当該映像処理装置１の制御部として機能する。特に本例では、同期分離回路３からの同期信号を検知して入力映像信号Ｖｉのフォーマット判別を行ったり、ベースバンドＩＣ５の動作制御、さらには記録再生部６の動作制御を行う。
【００１９】
記録再生部６は、例えばＨＤＤ（Hard Disk Drive）とされたり、光ディスク、メモリカード、磁気テープ等の可搬性記録メディアに対応して記録再生を行う部位などとされる。
記録再生部６には入力映像信号Ｖｉについての同期信号ＳＹ及びビデオ信号ＶＳが供給されており、ＣＰＵ４の記録指示によって、入力映像信号Ｖｉについての記録を行うことができる。またＣＰＵ４に再生指示に応じて、記録媒体に記録されている映像信号の再生を行い、再生されたビデオ信号ＶＳｐ、同期信号ＳＹｐをベースバンドＩＣ５に出力することもできる。この場合、ベースバンドＩＣ５は、再生された映像信号を表示部や外部機器に出力するための処理を行うこともできる。
【００２０】
［２．映像信号入力時の処理］
以上のような構成の本実施の形態の映像処理装置１では、入力映像信号Ｖｉについて、出力先に適応させて出力する動作を行うことになる。ここで、入力映像信号Ｖｉが、映像処理装置１を含めたシステム（映像処理装置１を内蔵する機器や、システム接続された外部機器）が対応する映像信号フォーマットであれば問題ない。
しかしながら、入力映像信号Ｖｉが、非対応フォーマットの映像信号であった場合、適正なシステム動作が保証されない。従って、入力映像信号Ｖｉが非対応フォーマットであった場合、ユーザにその旨を伝えることが必要である。なお、ここで言うユーザとは、当該映像処理装置１（映像処理装置１を内蔵する機器）を使用しているユーザだけでなく、出力映像信号Ｖｏ１、Ｖｏ２・・・等が供給される外部機器のユーザも含む。
【００２１】
そこで本例では、入力映像信号Ｖｉについて、対応フォーマットの映像信号であるか、非対応フォーマットの映像信号であるかを判別する。そして入力映像信号Ｖｉが非対応フォーマットの映像信号であると判別された場合に、映像信号処理部（ベースバンドＩＣ５）に、入力映像信号Ｖｉに対する処理として、表示の際に映像の乱れを生じさせる処理を実行させるようにしている。
【００２２】
図２にフォーマットの例を示す。
例えばシステム対応フォーマットとして示すように、映像処理装置１を含むシステムが対応するフォーマットが、「１０８０  ５９．９ｉ／２９．９ＰｓＦ」「１０８０  ５０ｉ／２５ＰｓＦ」「１０８０  ２３．９ＰｓＦ」「７２０  ５９．９ＰｓＦ」「７２０  ５０Ｐ」の５種類であるとする。
これに対して入力映像信号Ｖｉとして多様なフォーマットの映像信号が入力される場合がある。
例えば「１０８０  ６０ｉ／３０ＰｓＦ」「１０８０  ５９．９ｉ／２９．９ＰｓＦ」「１０８０  ５０．ｉ／２５ＰｓＦ」「１０８０  ２４ＰｓＦ」「１０８０  ２３．９ＰｓＦ」「７２０  ５９．９ＰｓＦ」「７２０  ５０Ｐ」・・・「ＮＴＳＣ」「ＰＡＬ」等の映像信号が入力映像信号Ｖｉとして入力される場合がある。
図中、○を付した組合せは、入力が対応フォーマットである場合であり、問題の無い場合である。
×を付した組合せは、入力が非対応フォーマットの映像信号である場合であり、以下に述べるように、強制的に映像が乱れて表示されるようにする処理を行う場合である。
なお、○も×も付していない組合せは、通常に同期ロックをかけると自動的に表示映像が乱れるため、特に強制的に映像を乱す処理が必要のない組合せである。
【００２３】
例えば以上のような各種組合せが生じ得る場合において、映像信号入力に対するＣＰＵ４の処理例を図３に示す。
【００２４】
ＣＰＵ４は、図３のステップＦ１０１で初期値設定を行う。例えばシグナルジェネレータ１１の設定を初期値とする。
ステップＦ１０２では、ＣＰＵ４は入力状態を検出する。即ち映像入力部２に入力映像信号Ｖｉが供給されている状態であるか否かを検出する。検出は、例えば同期分離回路３からの同期信号の供給の有無の判別等で可能である。また、入力コネクタに検出機構を設けた場合には、その検出機構によっても可能である。
そして特に入力が無い期間は、ステップＦ１０２の入力状態の監視を継続し、入力映像信号Ｖｉの入力が検出されたら、ＣＰＵ４は処理をステップＦ１０３からＦ１０４に進める。
ステップＦ１０４では、ＣＰＵ４は入力映像信号Ｖｉのフォーマット判別を行う。例えば同期分離回路３から供給される同期信号の１Ｈ（１水平期間）の長さやライン数をカウントすることで、フォーマット判別を行うことができる。
なお、同期分離回路３内にフォーマット判定回路部を設け、ＣＰＵ４に対しては判定したフォーマット種別を示す情報が供給されるようにしてもよい。例えば同期分離回路３内に１Ｈの長さや１フレームのライン数をカウントするカウンタを設け、それらのカウント情報をＣＰＵ４に、フォーマット情報として供給してもよい。もしくはカウント情報に基づいてフォーマット判別処理を行い、フォーマット種別を示す情報を生成してＣＰＵ４に供給してもよい。
【００２５】
ＣＰＵ４は、フォーマット種別を判定したら、ステップＦ１０５で、その入力映像信号Ｖｉのフォーマットが、システム対応フォーマットであるか否かを判定する。対応可能なフォーマットであれば、ステップＦ１０６に進み、必要各部（例えばベースバンドＩＣ５や記録再生部６等）に、当該フォーマットに対応した適切な設定を行う。
【００２６】
一方、入力映像信号Ｖｉが非対応フォーマットであれば、ステップＦ１０７に進み、映像が乱れる設定を行う。例えばベースバンドＩＣ５に、強制的に映像を乱すための設定を行う。この処理の具体例は後述するが、これによって、ベースバンドＩＣ５からの出力先の映像信号は、表示の際に映像が乱れた状態となる。
またＣＰＵ４は、ステップＦ１０８で記録禁止設定を行う。
【００２７】
ＣＰＵ４は、以上のステップＦ１０６、又はステップＦ１０７，Ｆ１０８の処理を行った後は、ステップＦ１０９で入力状態検出を行う。つまり入力映像信号Ｖｉの入力が終了されたか継続されているかの監視である。
対応フォーマットの入力映像信号Ｖｉが当該映像処理装置１に供給されている場合は、或る程度の期間、映像入力が継続することが多いと想定される。
一方、非対応フォーマットの映像信号が供給されている場合、上記ステップＦ１０７の処理によって、出力先では映像が乱れた状態として表示される。従って、ユーザは非対応フォーマットの映像信号を当該映像処理装置１に入力していることに気づき、比較的早い段階で入力を終了させることが予想される。
【００２８】
いずれの場合も、映像入力部２への信号入力が終了されたら、ＣＰＵ４はステップＦ１１０からＦ１０１に戻り、ベースバンドＩＣ５等に与えた設定状態を初期値に戻す。ステップＦ１０８で記録禁止設定を行っていた場合は、これも解除する。
そしてステップＦ１０２，Ｆ１０３で入力の開始を監視し、以降、同様の処理を行う。
ＣＰＵ４が、この図３の処理を行うことで、非対応フォーマットの映像信号が入力された場合に、出力先において強制的に映像表示を乱すことができる。
例えば当該映像処理装置１を内蔵する機器のモニタ表示部で映像が乱れることで、この機器を使用するユーザがフォーマット違いを視覚的に認識できる。
さらに、この映像処理装置１からは、乱れた映像信号が外部機器に供給されることになるため、外部機器のユーザも、表示された映像が乱れていることで、フォーマット違いを視覚的に認識できる。
これらのことによって、映像記録、映像分配、映像放送などのシステム動作を行う際のミスを防止できる。
なお、図３の処理では、映像を乱すのみとしたが、これと合わせて、メッセージキャラクタ表示等で、フォーマット違いを提示するようにしてもよい。例えば当該映像処理装置１を含む機器の表示部８０などで表示させるようにする。
【００２９】
ここで、上記ステップＦ１０８について記録禁止設定を行ったことについて説明する。
当該映像処理装置１では、記録再生部６によって、入力映像信号Ｖｉに関する記録を行うことができる。例えばユーザが記録指示を行ったり、ソフトウエアプログラムの指示によって自動的に記録指示が生ずる場合がある。
ところが非対応フォーマットの映像信号が入力されている場合に、記録が行われることは適切ではない。そこで、非対応フォーマットの映像信号が入力されている場合は、ＣＰＵ４は内部的に記録禁止設定（Ｆ１０８）を行うようにする。そして記録指示が発生した場合には図４の処理を行う。
【００３０】
即ちユーザ操作、もしくはソフトウエアプログラムの指示として記録指示が発生した場合、ＣＰＵ４は処理をステップＦ２０１からＦ２０２に進め、現在記録禁止設定中であるか否かを確認する。
そして記録禁止設定中でなければステップＦ２０３に進み、記録再生部６に記録開始を指示する。これによって通常に入力映像信号Ｖｉの記録が行われる。
一方、記録禁止設定中であったら、ステップＦ２０３には進まないようにする。つまり記録再生部６に対して記録指示を行わない。
このような処理を行うことで、非対応フォーマットの映像信号が入力されている期間は、記録指示が発生しても記録が行われないようにすることができる。
【００３１】
［３．同期信号処理による映像乱し手法］
以下、出力先で表示映像が乱れるようにする処理の具体例を述べる。ここではまず、同期信号処理によって映像を乱す手法を説明する。
【００３２】
図５にシグナルジェネレータ１１の構成例を示す。シグナルジェネレータ１１は、セレクタ２１、ＰＬＬ＿ＨＤカウンタ２２，位相比較器（ＶＣＯ）２３、ＰＬＬ＿ＳＤカウンタ２４、位相比較器（ＶＣＯ）２５、ＦＲＧ（フレームリセット信号ジェネレータ）２６、マスターＨＤカウンタ２７、マスターＳＤカウンタ２８を備える。
【００３３】
シグナルジェネレータ１１には、図１に示した同期分離回路３によって入力映像信号Ｖｉから分離された同期信号ＳＹが入力される。この同期信号ＳＹとして、図５では水平同期信号ＥＸＴ＿Ｈ、及び垂直同期信号ＥＸＴ＿Ｆを示している。
水平同期信号ＥＸＴ＿Ｈはセレクタ２１に入力される。セレクタ２１はＣＰＵ４によって切り替え制御される。この場合、ＣＰＵ４は、入力映像信号Ｖｉが、ＨＤ（High Definition）か、ＳＤ（Standard Definition）かに応じてセレクタ２１を切り替える。
【００３４】
入力映像信号ＶｉがＨＤの場合は、セレクタ２１は端子ｔ１側に切り替えられる。これによって水平同期信号ＥＸＴ＿Ｈがリセット信号としてＰＬＬ＿ＨＤカウンタ２２に供給される。
ＰＬＬ＿ＨＤカウンタ２２は、水平同期信号ＥＸＴ＿Ｈの立下りでリセットがかけられる。
その後、ＰＬＬ＿ＨＤカウンタ２２の出力を用いて位相比較器２３にパルスが送られ、ＨＤ用の基準クロックＨＤ＿ＣＬＫ（例えば７４ＭＨｚ）を、外部（入力映像信号Ｖｉ）と同期させる。
その後、ＰＬＬ＿ＨＤカウンタ２２のカウントパルスを分周して作成したパルスをＰＬＬ−ＳＤカウンタ２４に与えて、このＰＬＬ−ＳＤカウンタ２４のロックをかける。
この状態で位相比較器２５にもパルスを与え、ＳＤ用の基準クロックＳＤ＿ＣＬＫ（例えば２７ＭＨｚ）も同期させる。
【００３５】
入力映像信号ＶｉがＳＤの場合は、以上の逆の動作が行われる。即ちセレクタ２１は端子ｔ２側に切り替えられる。これによって水平同期信号ＥＸＴ＿Ｈがリセット信号としてＰＬＬ＿ＳＤカウンタ２４に供給される。
ＰＬＬ＿ＳＤカウンタ２４は、水平同期信号ＥＸＴ＿Ｈの立下りでリセットがかけられる。
その後、ＰＬＬ＿ＳＤカウンタ２４の出力を用いて位相比較器２５にパルスが送られ、ＳＤ用の基準クロックＳＤ＿ＣＬＫを、外部（入力映像信号Ｖｉ）と同期させる。
その後、ＰＬＬ＿ＳＤカウンタ２２のカウントパルスから作成したパルスをＰＬＬ−ＨＤカウンタ２２に与えて、このＰＬＬ−ＨＤカウンタ２２のロックをかける。
この状態で位相比較器２３にもパルスを与え、ＨＤ用の基準クロックＨＤ＿ＣＬＫも同期させる。
【００３６】
以上のいずれかの動作が行われた状態で、ベースバンドＩＣ５内部で使用している基準クロックＨＤ＿ＣＬＫ、ＳＤ＿ＣＬＫが、外部に同期したことになる。
【００３７】
次に、ＰＬＬ−ＨＤカウンタ２２及びＰＬＬ−ＳＤカウンタ２４で作成されたＨ（水平）の基準パルスを、それぞれマスターＨＤカウンタ２７、マスターＳＤカウンタ２８に入力する。
マスターＨＤカウンタ２７、マスターＳＤカウンタ２８は、これらの基準パルス入力でリセットを行い、任意の位相で各モジュールに信号を送出する。
即ちマスターＨＤカウンタ２７は、ＨＤ対応の水平同期信号及び垂直同期信号を出力し、マスターＳＤカウンタ２８はＳＤ対応の水平同期信号及び垂直同期信号を出力する。
【００３８】
なおＨＤ／ＳＤ対応のＩＣは、互いの同期をあわせる為に垂直同期信号を逓倍した信号を用いている。図５の場合、ＦＲＧ２６で１回／１［ｓ］の信号を作成して、これをマスターＨＤカウンタ２７、マスターＳＤカウンタ２８にリセット信号として送っている。
【００３９】
例えばこの図５のようなシグナルジェネレータ１１を搭載する場合において、以下の（１）（２）（３）の３つの手法で、同期信号を乱すことができる。
【００４０】
（１）入力してきた信号をＳＤ／ＨＤと逆に設定する
ＨＤとＳＤは、フレーム周波数が同じでもＨ（水平）周波数は異なる。これを利用して従来とは逆のカウンタに入力することで、ベースバンドＩＣ５の全体の同期基準をみだすことができる。
即ちＣＰＵ４は、セレクタ２１を、上記した本来の選択とは逆側に切り替えるようにする。
【００４１】
図６（ａ）に、内部リセットとして想定しているパルス周期幅と、セレクタ２１が逆側とされることで、実際に水平同期信号ＥＸＴ＿Ｈとして入力されるパルス周期幅を示す。
このようなパルス周期の差が、若干違う程度であると、ＰＬＬ動作により収束してしまうが、ＳＤ／ＨＤのように極端に異なると、位相比較器２３、２５でのＶＣＯ引き込みできなくなり、基準クロックが乱れることになる。
例えばシステムフォーマットが１０８０＿２４ＰｓＦであるとした場合にＮＴＳＣの信号が入力された場合を考えてみる。
１０８０＿２４ＰｓＦの１Ｈは７４ＭＨｚに換算すると２７５０クロックであることに対して、ＮＴＳＣは約４６００クロックほどになる。ここまで違うとＰＬＬでも収束できずにロックがかからなくなる。
これによって、同期信号付加部１２で付加される同期信号は、乱れた状態となり、結果として出力先で表示される映像が乱れる。
【００４２】
（２）ＦＲＧの周期を変える
ＦＲＧ２６から出力されるリセット信号は、ＳＤ／ＨＤのフレームリセットに使われる。たとえば１０８０＿２４ＰｓＦ（４８Ｈｚ）の場合、ＳＤは６０Ｈｚになる。
この場合でもＨＤ／ＳＤの同期をあわせる必要があるために、ＦＲＧ２６から出力されるリセット信号が用いられる。つまり４８Ｈｚと６０Ｈｚの公倍数であわせることになる。よってこの場合に、それ以外の周波数にすると、異なる方の同期が乱れることになる。
一例として、図６（ｂ）に、１０８０＿２３．９ＰｓＦと５２５．５９．９ｉの垂直同期信号、及びリセット信号を示している。
例えばＦＲＧ２６の出力において「正常」として示す方のリセット信号は、公倍数であわせた周期となるが、これを「異常」として示すようにＦＲＧ２６の出力の周期を変える。
このようなＦＲＧ２６の出力をマスターＨＤカウンタ２７、マスターＳＤカウンタ２８に送ることで、同期信号を乱すことができる。
【００４３】
（３）フォーマットを変更する
図５の各カウンタは、それぞれ自身でリセット値をもっている。つまりカウンタの値が設定されている値に達すると、カウント値を０にする。
そこで例えば、マスターＨＤカウンタ２７、マスターＳＤカウンタ２８のリセット値を変更することで出力される同期信号を乱すことができる。
【００４４】
以上、３つの手法を述べたが、実際には、これらの１つを実施するだけでなく、これらのうちの２つ、もしくは３つの手法を全て、実施してもよい。
特にフォーマットの組合せによっては、出力映像信号Ｖｏ自体は乱れていても、モニタ装置に接続すると乱れていないように見える場合もあり、より確実に表示映像が乱れるようにするには、２つ或いは３つの手法を組み合わせて実施することが好適である。
【００４５】
［４．映像信号処理による映像乱し手法］
次に映像信号自体を乱す手法を説明する。
映像信号自体を乱す場合は、映像処理装置１の構成を図７のようにする。図７は、図１の構成に映像乱し回路１３を加えたものである。例えばベースバンドＩＣ５の内部回路部として同期信号付加部１２の前段に映像乱し回路１３を設ける。そして、ＣＰＵ４は、映像乱し回路１３に対して制御を行うことができるようにする。
なお、映像信号自体を乱す場合は、同期信号系については正常動作を行えばよい。つまりシグナルジェネレータ１１に関しては、ＣＰＵ４は常時正常設定を行うようにする。但し、映像信号自体を乱すことと、上述した同期信号を乱すことの両方を併用してもよい。
【００４６】
映像乱し回路１３は、例えば図８（ａ）のように構成する。即ちビデオ信号ＶＳに対して係数乗算を行う乗算器３２と、乗算係数を発生させる係数発生回路３１を設ける。
係数発生回路３１には垂直同期信号が入力される。そして係数発生回路３１は垂直同期信号で規定される垂直同期期間毎に、ＣＰＵ４の指示に基づいて係数を発生させる。
垂直同期期間毎に異なる係数が乗算器３２に与えられることにより、ビデオ信号ＶＳが乱されることになる。結果として出力先で表示される際に、乱れた映像となる。
【００４７】
また、係数「０」を帯状に非同期で作成するようにすると、図８（ｂ）のように画面上では黒い線が流れるように生ずることとなり、同期があっていないような表示映像とすることもできる。
【００４８】
このように、入力された映像信号に係数乗算を行って映像信号自体を乱す処理が１つの手法として可能である。
また、他の手法として、入力映像信号の転送過程において転送処理の基準信号を乱す処理を行うこともできる。
【００４９】
図９に転送過程のモデルを示す。
ビデオ信号を扱う場合、一般に様々のブロックを経由している。例えばＡブロック６１，Ｂブロック６２，Ｃブロック６３，Ｄブロック６４を経由してビデオ信号が出力されているとする。
例えばベースバンドＩＣ５の内部処理ブロックとして、この図９のモデルのような形態が考えられる。
各ブロックのそれぞれには、シグナルジェネレータ１１から入出力のタイミング（基準信号）が与えられる。
【００５０】
ここで、１つのブロック（Ｃブロック６３）に対してのみ、転送タイミングの基準信号として乱れた基準信号を与える（破線で示す）。
このようにすることで、映像信号自体を乱すことができる。
特にＣブロック６３が、メモリ６５を用いた処理を行うブロックであるとすると、効果的に映像信号を乱すことができる。なお正常な同期信号は、最後のＤブロック６４で付加されるようにすればよい。
もちろん、複数のブロック（例えばＢブロック６２とＣブロック６３）に与える基準信号を乱れた基準信号としてもよい。
【００５１】
以上、実施の形態について説明してきたが、本発明は上記例に限られず、多様な変形例が考えられる。特に映像信号が表示の際に乱れた映像となるようにする処理としての同期信号処理や映像信号自体を乱す処理としては、多様な処理例が考えられる。
【図面の簡単な説明】
【００５２】
【図１】本発明の実施の形態の映像処理装置のブロック図である。
【図２】実施の形態の対応フォーマットと入力映像信号フォーマットの例の説明図である。
【図３】実施の形態の入力対応処理のフローチャートである。
【図４】実施の形態の記録指示の際の処理のフローチャートである。
【図５】実施の形態のシグナルジェネレータのブロック図である。
【図６】実施の形態の同期処理による映像乱し手法の説明図である。
【図７】実施の形態の映像自体を乱す場合の構成のブロック図である。
【図８】実施の形態の映像自体を乱す構成及び表示例の説明図である。
【図９】実施の形態の映像転送過程の処理で乱す場合の説明図である。
【符号の説明】
【００５３】
１  映像処理装置、２  映像入力部、３  同期分離回路、４  ＣＰＵ、５  ベースバンドＩＣ、６  記録再生部、７−１，７−２・・・７−ｎ  映像出力部、１１  シグナルジェネレータ、１２  同期信号付加部、１３  映像乱し回路
【図１】
2010103804.tif 000003
【図２】
2010103804.tif 000004
【図３】
2010103804.tif 000005
【図４】
2010103804.tif 000006
【図５】
2010103804.tif 000007
【図６】
2010103804.tif 000008
【図７】
2010103804.tif 000009
【図８】
2010103804.tif 000010
【図９】
2010103804.tif 000011